(57)【要約】【課題】  放送音声又は再生音声に含まれる透かし情報を用いて、端末と店舗販売システムとが連携すること。【解決手段】  端末の処理部は、受像機／録画再生機から透かし入り放送音声を受信する（Ｓ３０１）。処理部は、放送音声から透かしデータを検出し、透かしペイロードに含まれるコンテンツＩＤ等を蓄積部内に記憶する（Ｓ３０３）。処理部は、コンテンツＩＤに対応するクーポン情報を求める（Ｓ３０５）。処理部は、透かしデータテーブルを参照し、二次元コードを生成する（Ｓ３０７）。処理部は、二次元コードとクーポン情報を記憶し、表示部に表示する（Ｓ３０９）。商品購買の際、端末は、二次元コード及びクーポン情報を表示する。店舗販売システムは、商品購買処理の際、スキャナ部により二次元コードを読み取り、クーポン情報による特典を提供する処理を実行する。【選択図】  図１５
2014194600.tif 000002
【特許請求の範囲】
【請求項１】
情報提供装置であって、
コンテンツ識別情報に対する特典識別情報を含むリンクデータを記憶するリンクテーブルと、
特典識別情報に対して特典の内容を表す特典情報を記憶する特典情報テーブルと、
コンテンツ識別情報又は特典識別情報を表すコードと、特典情報を記憶する特典コードテーブルと、
表示部と、
処理部と、
を備え、
前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記リンクテーブルを参照し、コンテンツ識別情報に基づき特典識別情報を求め、
前記特典情報テーブルを参照し、前記特典識別情報に従い特典情報を取得し、
前記コンテンツ識別情報又は特典識別情報を表すコードを生成し、
前記コード及び前記特典情報を、前記特典コードテーブルに記憶し、表示部に表示させる
ことを特徴とする情報提供装置。
【請求項２】
請求項１に記載の情報提供装置であって、
前記処理部は、取得要求により、又は、予め設定されたタイミング又は期間又は時刻で、コンテンツ識別情報に対する特典識別情報を含むリンクデータを記憶したリンクサーバから、前記リンクデータを受信し、前記リンクデータを前記リンクデータテーブルに記憶する
ことを特徴とする情報提供装置。
【請求項３】
請求項１又は２に記載の情報提供装置において、
特典識別情報に対して予め設定された特典情報を予め記憶したウェブサーバを
さらに備え、
前記処理部は、前記特典識別情報に従い前記ウェブサーバにアクセスし、前記ウェブサーバから前記特典情報を取得して、前記特典情報テーブルに記憶することを特徴とする情報提供装置。
【請求項４】
請求項1乃至３のいずれかに記載の情報提供装置において、
前記コードは、二次元コード若しくは他のスキャナで読み取られるコード、又は、無線若しくは有線で読み取られるコードであることを特徴とする情報提供装置。
【請求項５】
情報提供システムであって、
情報提供装置と、
販売装置とを
備え、
前記情報提供装置は、
コンテンツ識別情報に対する特典識別情報を含むリンクデータを記憶するリンクテーブルと、
特典識別情報に対して特典の内容を表す特典情報を記憶する特典情報テーブルと、
コンテンツ識別情報又は特典識別情報を表すコードと、特典情報を記憶する特典コードテーブルと、
表示部と、
処理部と、
を備え、
前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記リンクテーブルを参照し、コンテンツ識別情報に基づき特典識別情報を求め、
前記特典情報テーブルを参照し、前記特典識別情報に従い特典情報を取得し、
前記コンテンツ識別情報又は特典識別情報を表すコードを生成し、
前記コード及び前記特典情報を、前記特典コードテーブルに記憶し、
前記販売装置は、
商品コードと、コンテンツ識別情報又は特典識別情報とを対応して記憶する特典テーブルと、
販売処理部と
を備え、
前記端末の前記処理部は、前記特典コードテーブルから選択されたコード及び特典情報を前記表示部に提示し、
前記販売処理部は、
前記端末が提示した前記コードを読み取り、コンテンツ識別情報又は特典識別情報を取得し、
前記特典テーブルを参照し、前記コンテンツ識別情報又は特典識別情報に対応する商品コードの商品が購入されたと判定した場合、特典を提供する旨の判定結果を前記表示部に表示する
ことを特徴とする情報提供システム。
【請求項６】
情報提供システムであって、
情報提供装置と、
販売装置とを
備え、
前記情報提供装置は、
コンテンツ識別情報に対する特典識別情報を含むリンクデータを記憶するリンクテーブルと、
特典識別情報に対して特典の内容を表す特典情報を記憶する特典情報テーブルと、
コンテンツ識別情報又は特典識別情報を表すコードと、特典情報を記憶する特典コードテーブルと、
表示部と、
処理部と、
を備え、
前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記リンクテーブルを参照し、コンテンツ識別情報に基づき特典識別情報を求め、
前記特典情報テーブルを参照し、前記特典識別情報に従い特典情報を取得し、
前記コンテンツ識別情報又は特典識別情報を表すコードを生成し、
前記コード及び前記特典情報を、前記特典コードテーブルに記憶し、
前記販売装置は、
商品コードと、コンテンツ識別情報又は特典識別情報と、特典処理情報を対応して記憶する特典テーブルと、
販売処理部と
を有する販売システムをさらに備え、
前記端末の前記処理部は、前記特典コードテーブルから選択されたコード及び特典情報を前記表示部に提示し、
前記販売処理部は、
前記端末が提示した前記コードを読み取り、コンテンツ識別情報又は特典識別情報を取得し、
前記特典テーブルを参照し、前記コンテンツ識別情報又は特典識別情報に対応する商品コードの商品が購入されたと判定した場合、前記特典処理情報に従い特典提供処理を実行する
ことを特徴とする情報提供システム。
【請求項７】
請求項５又は６に記載の情報提供システムにおいて、
前記コードは、さらに放送時刻又は埋込時刻を含み、
商品購入時刻、商品コード、放送時刻又は埋込時刻、コンテンツ識別情報を対応して記憶する特典ログテーブルをさらに備え、
前記販売処理部は、特典提供した際、前記特典ログテーブルに、商品購入時刻、商品コード、放送時刻又は埋込時刻、コンテンツ識別情報、を対応してログとして記憶することを特徴とする情報提供システム。
【請求項８】
請求項７に記載の情報提供システムにおいて、
前記販売処理部は、前記特典ログテーブルからログを読み出し、前記販売システムの表示部に表示させること又は出力部に出力させることを特徴とする情報提供システム。
【請求項９】
請求項７又は８に記載の情報提供システムにおいて、
前記販売処理部は、予め設定されたタイミング又は期間又は時刻で、ログ収集サーバに前記特典ログテーブルから読み出したログを送信し、前記ログ収集サーバの記憶部に前記ログを記憶させ、表示部に表示させること又は出力部に出力させることを特徴とする情報提供システム。
【請求項１０】
請求項５乃至９のいずれかに記載の情報提供システムにおいて、
放送信号に、放送時刻とコンテンツ識別情報を含む透かしデータを埋め込み、該放送信号を放送する放送局と、
前記放送局からの放送信号を受信して、音声を再生する受信機と、
をさらに備えた情報提供システム。
【請求項１１】
請求項５乃至９のいずれかに記載の情報提供システムにおいて、
録音信号に、埋込時刻とコンテンツ識別情報を含む透かしデータを埋め込み、該録音信号を再生する再生機と、
前記再生機からの録音信号を受信して、音声を再生する受信機と、
をさらに備えた情報提供システム。
【請求項１２】
情報提供装置における情報提供方法であって、
前記情報提供装置は、
コンテンツ識別情報に対する特典識別情報を含むリンクデータを記憶するリンクテーブルと、
特典識別情報に対して特典の内容を表す特典情報を記憶する特典情報テーブルと、
コンテンツ識別情報又は特典識別情報を表すコードと、特典情報を記憶する特典コードテーブルと、
表示部と、
処理部と、
を備え、
前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記リンクテーブルを参照し、コンテンツ識別情報に基づき特典識別情報を求め、
前記特典情報テーブルを参照し、前記特典識別情報に従い特典情報を取得し、
前記コンテンツ識別情報又は特典識別情報を表すコードを生成し、
前記コード及び前記特典情報を、前記特典コードテーブルに記憶し、表示部に表示させる
ことを特徴とする情報提供方法。
【請求項１３】
情報提供装置における情報提供プログラムであって、
前記情報提供装置は、
コンテンツ識別情報に対する特典識別情報を含むリンクデータを記憶するリンクテーブルと、
特典識別情報に対して特典の内容を表す特典情報を記憶する特典情報テーブルと、
コンテンツ識別情報又は特典識別情報を表すコードと、特典情報を記憶する特典コードテーブルと、
表示部と、
処理部と、
を備え、
前記処理部が、コンテンツの放送時刻又は透かしデータの埋込時刻とコンテンツ識別情報を含む透かしデータが埋め込まれた放送信号又は録音信号を再生した音声を入力し、前記透かしデータを検出する手順と、
前記処理部が、前記リンクテーブルを参照し、コンテンツ識別情報に基づき特典識別情報を求める手順と、
前記処理部が、前記特典情報テーブルを参照し、前記特典識別情報に従い特典情報を取得する手順と、
前記処理部が、前記コンテンツ識別情報又は特典識別情報を表すコードを生成する手順と、
前記処理部が、前記コード及び前記特典情報を、前記特典コードテーブルに記憶し、表示部に表示させる手順と
をコンピュータに実行させるための情報提供プログラム。
【発明の詳細な説明】
【技術分野】
【０００１】
本発明は、情報提供装置及びシステム及び方法及びプログラムに係り、特に、透かしを利用し、端末が店舗販売システムと連携することができる情報提供装置及びシステム及び方法及びプログラムに関する。
【背景技術】
【０００２】
近年、地上デジタル放送に加え、ＢＳデジタル放送やＣＳ専門チャンネル放送などの普及、さらに新たな放送サービスの出現など、今後ますます放送サービスの多様化が進むものと思われる。
特許文献１には、「テレビ視聴者が所持する携帯端末６０は、テレビＣＭと共にテレビ画面上に表示されるＱＲコード（登録商標）を読み取り、ＱＲコード（登録商標）に含まれるアドレスに応じて、放送局サーバ２０にアクセスする。放送局サーバ２０は、・・・（中略）・・・該アクセスに含まれるＣＭ識別情報に基づいて該アクセスを広告主サーバ３０に転送する。広告主サーバ３０は、・・・（中略）・・・視聴者に特典を与えるための特典情報を携帯端末６０に配信する」（要約）ようにした情報配信システム及び情報配信方法について記載されている。
【先行技術文献】
【特許文献】
【０００３】
【特許文献１】特開２０１１−１０１３０７号公報
【発明の概要】
【発明が解決しようとする課題】
【０００４】
従来、テレビＣＭ等のメディアと、来店、購買がどのように結びついているか、把握したいという要求があるが、厳密に測定する手法がない。
たとえば、テレビで合言葉のようなキーワードを言って、それを聞いた視聴者が、お店に出向き、合言葉を言って、サービスを受けることが考えられるが、合言葉は簡単に伝言できるため、テレビを見ていなくても、サービスを受けることが可能となってしまう場合が想定される。
また、従来、携帯端末やパソコン等の端末が、レジ端末等の店舗販売システムと簡単に連携することができなかった。このため、端末等のメディア接触（コンテンツ接触）と商品の購買実績とを機械的に取得することや、厳密に把握すること、又は、メディアの効果測定を行うこと等は、必ずしも簡単ではなかった。また、従来、端末と連携して、メディア接触者に対しクーポン等の特典を機械的に有効化するシステムが存在しなかった。
【０００５】
本発明は、以上の点に鑑み、放送音声又は再生音声に含まれる透かし情報を用いて、端末と店舗販売システムとを連携して特典を提供することを、ひとつの目的とする。
また、本発明は、放送音声又は再生音声に含まれる透かし情報を用いて、端末と店舗販売システムとを連携して、端末のメディア接触（コンテンツ接触）と、店舗販売システムによる商品の購買実績とを関連付けることを他の目的とする。
【課題を解決するための手段】
【０００６】
本発明の第１の解決手段によると、
情報提供装置であって、
コンテンツ識別情報に対する特典識別情報を含むリンクデータを記憶するリンクテーブルと、
特典識別情報に対して特典の内容を表す特典情報を記憶する特典情報テーブルと、
コンテンツ識別情報又は特典識別情報を表すコードと、特典情報を記憶する特典コードテーブルと、
表示部と、
処理部と、
を備え、
前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記リンクテーブルを参照し、コンテンツ識別情報に基づき特典識別情報を求め、
前記特典情報テーブルを参照し、前記特典識別情報に従い特典情報を取得し、
前記コンテンツ識別情報又は特典識別情報を表すコードを生成し、
前記コード及び前記特典情報を、前記特典コードテーブルに記憶し、表示部に表示させる
ことを特徴とする情報提供装置が提供される。
【０００７】
本発明の第２の解決手段によると、
情報提供システムであって、
情報提供装置と、
販売装置とを
備え、
前記情報提供装置は、
コンテンツ識別情報に対する特典識別情報を含むリンクデータを記憶するリンクテーブルと、
特典識別情報に対して特典の内容を表す特典情報を記憶する特典情報テーブルと、
コンテンツ識別情報又は特典識別情報を表すコードと、特典情報を記憶する特典コードテーブルと、
表示部と、
処理部と、
を備え、
前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記リンクテーブルを参照し、コンテンツ識別情報に基づき特典識別情報を求め、
前記特典情報テーブルを参照し、前記特典識別情報に従い特典情報を取得し、
前記コンテンツ識別情報又は特典識別情報を表すコードを生成し、
前記コード及び前記特典情報を、前記特典コードテーブルに記憶し、
前記販売装置は、
商品コードと、コンテンツ識別情報又は特典識別情報とを対応して記憶する特典テーブルと、
販売処理部と
を備え、
前記端末の前記処理部は、前記特典コードテーブルから選択されたコード及び特典情報を前記表示部に提示し、
前記販売処理部は、
前記端末が提示した前記コードを読み取り、コンテンツ識別情報又は特典識別情報を取得し、
前記特典テーブルを参照し、前記コンテンツ識別情報又は特典識別情報に対応する商品コードの商品が購入されたと判定した場合、特典を提供する旨の判定結果を前記表示部に表示する
ことを特徴とする情報提供システムが提供される。
本発明の第３の解決手段によると、
情報提供システムであって、
情報提供装置と、
販売装置とを
備え、
前記情報提供装置は、
コンテンツ識別情報に対する特典識別情報を含むリンクデータを記憶するリンクテーブルと、
特典識別情報に対して特典の内容を表す特典情報を記憶する特典情報テーブルと、
コンテンツ識別情報又は特典識別情報を表すコードと、特典情報を記憶する特典コードテーブルと、
表示部と、
処理部と、
を備え、
前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記リンクテーブルを参照し、コンテンツ識別情報に基づき特典識別情報を求め、
前記特典情報テーブルを参照し、前記特典識別情報に従い特典情報を取得し、
前記コンテンツ識別情報又は特典識別情報を表すコードを生成し、
前記コード及び前記特典情報を、前記特典コードテーブルに記憶し、
前記販売装置は、
商品コードと、コンテンツ識別情報又は特典識別情報と、特典処理情報を対応して記憶する特典テーブルと、
販売処理部と
を有する販売システムをさらに備え、
前記端末の前記処理部は、前記特典コードテーブルから選択されたコード及び特典情報を前記表示部に提示し、
前記販売処理部は、
前記端末が提示した前記コードを読み取り、コンテンツ識別情報又は特典識別情報を取得し、
前記特典テーブルを参照し、前記コンテンツ識別情報又は特典識別情報に対応する商品コードの商品が購入されたと判定した場合、前記特典処理情報に従い特典提供処理を実行する
ことを特徴とする情報提供システムが提供される。
【０００８】
本発明の第４の解決手段によると、
情報提供装置における情報提供方法であって、
前記情報提供装置は、
コンテンツ識別情報に対する特典識別情報を含むリンクデータを記憶するリンクテーブルと、
特典識別情報に対して特典の内容を表す特典情報を記憶する特典情報テーブルと、
コンテンツ識別情報又は特典識別情報を表すコードと、特典情報を記憶する特典コードテーブルと、
表示部と、
処理部と、
を備え、
前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記リンクテーブルを参照し、コンテンツ識別情報に基づき特典識別情報を求め、
前記特典情報テーブルを参照し、前記特典識別情報に従い特典情報を取得し、
前記コンテンツ識別情報又は特典識別情報を表すコードを生成し、
前記コード及び前記特典情報を、前記特典コードテーブルに記憶し、表示部に表示させる
ことを特徴とする情報提供方法が提供される。
【０００９】
本発明の第５の解決手段によると、
情報提供装置における情報提供プログラムであって、
前記情報提供装置は、
コンテンツ識別情報に対する特典識別情報を含むリンクデータを記憶するリンクテーブルと、
特典識別情報に対して特典の内容を表す特典情報を記憶する特典情報テーブルと、
コンテンツ識別情報又は特典識別情報を表すコードと、特典情報を記憶する特典コードテーブルと、
表示部と、
処理部と、
を備え、
前記処理部が、コンテンツの放送時刻又は透かしデータの埋込時刻とコンテンツ識別情報を含む透かしデータが埋め込まれた放送信号又は録音信号を再生した音声を入力し、前記透かしデータを検出する手順と、
前記処理部が、前記リンクテーブルを参照し、コンテンツ識別情報に基づき特典識別情報を求める手順と、
前記処理部が、前記特典情報テーブルを参照し、前記特典識別情報に従い特典情報を取得する手順と、
前記処理部が、前記コンテンツ識別情報又は特典識別情報を表すコードを生成する手順と、
前記処理部が、前記コード及び前記特典情報を、前記特典コードテーブルに記憶し、表示部に表示させる手順と
をコンピュータに実行させるための情報提供プログラムが提供される。
【発明の効果】
【００１０】
本発明によると、放送音声又は再生音声に含まれる透かし情報を用いて、端末と店舗販売システムとを連携して、特典を提供することができる。
また、本発明によると、放送音声又は再生音声に含まれる透かし情報を用いて、端末と店舗販売システムとを連携して、端末のメディア接触（コンテンツ接触）と、店舗販売システムによる商品の購買実績とを関連付けることができる。
【図面の簡単な説明】
【００１１】
【図１】情報提供システムの構成図である。
【図２】放送局１の構成図である。
【図３】受像機／録画再生機２の構成図である。
【図４】端末３の構成図である。
【図５】リンクサーバ４の構成図である。
【図６】透かしデータテーブルについての説明図である。
【図７】リンクテーブルについての説明図である。
【図８】透かしデータのペイロードのフォーマットである。
【図９】店舗販売システムの構成図である。
【図９ａ】ログ収集サーバの構成図である。
【図１０】クーポン情報テーブルについての説明図である。
【図１１】クーポンコードテーブルについての説明図である。
【図１２】クーポンテーブルについての説明図である。
【図１３】クーポンログテーブルについての説明図である。
【図１４】リンクテーブル取得シーケンスである。
【図１５】情報提供処理についてのフローチャートである。
【図１６】クーポン情報テーブルについての説明図である。
【図１７】クーポン表示画面についての説明図である。
【図１８】クーポン情報取得シーケンスである。
【図１９】レジ端末処理フローチャートである。
【図２０】透かしデータテーブルについての説明図である。
【図２１】再生機２ａの構成図である。
【図２２】クーポンテーブルについての説明図である。
【発明を実施するための形態】
【００１２】
Ａ．第１の実施の形態
１．システム・装置
図１は、情報提供システムの構成図である。
情報提供システムは、放送局１、受像機／録画再生機２、端末３、リンクサーバ４、Ｗｅｂサーバ５、店舗販売システム１０を備える。放送局１は、受像機／録画再生機２に対し、放送波等を送信する。受像機／録画再生機２は、例えば、放送局１から放送波等を受信し、放送コンテンツを再生する。端末３は、例えば、受信機／録画再生機２が再生した放送音声を受信し、各種情報を含むコード又はクーポン情報等の表示、各種情報への誘導、又は、各種処理を実行する。リンクサーバ４は、後述するようなリンクデータ等を端末３へ送信する。Ｗｅｂサーバ５は、端末３がＵＲＬ等でホームページ等の各種情報にアクセスすると、端末３に情報を提供する。店舗販売システム１０は、スキャナを有するＰＯＳ（販売時点情報管理）等のレジ端末を用いることができる。店舗販売システム１０は、端末３から情報をスキャナ等で読み取り、又は、各種データを入力し、商品購買処理、割引処理等の各種処理を実施する。
【００１３】
図２は、放送局１の構成図である。
放送局１は、例えば、不特定多数の受け手を対象に素材・コンテンツをテレビ、パソコン、ラジオ、携帯機器等に放送・配信・報道するような装置・システム・機関・組織・主体などを指す。また、テレビ、パソコン、ラジオ、携帯機器等の様々なコンテンツ・素材を放送・配信する放送局にも適用することができる。「放送」とは、テレビ放送、ラジオ放送、地上波・衛星放送、ケーブル放送、屋外放送、屋外広告、館内放送、店内放送等の様々な放送を含むことができる。放送局１は、透かし重畳部１１を備える。透かし重畳部１１は、放送信号・放送波に、後述するように、透かしデータを重畳する。
【００１４】
図３は、受像機／録画再生機２の構成図である。
受像機／録画再生機２は、放送コンテンツを受信及び再生する受像機（受信機）、又は、放送コンテンツを録画及び再生する録画再生機である。なお、受像機／録画再生機２は、ＤＶＤ、ブルーレイ等を再生する再生機としてもよい。受像機／録画再生機２は、受像機（受信機）と再生機の両機能を備えた装置でもよいし、さらに録画機能を備えてもよい。受像機／録画再生機２は、音声再生部２１を備える。受像機／録画再生機２は、例えば、テレビ、パソコン、屋内又は屋外放送システム、ワンセグ端末、スマートフォン、セットトップボックス、電話機、案内システム、玩具、遊具等のように、スピーカーを持ち、音を発する装置を用いることができる。
【００１５】
図４は、端末３の構成図である。
端末３は、処理部（ＣＰＵ）３１、内部時計３２、音声ＩＦ部３３、蓄積部３４、通信部３５、表示部３６、入力部３７を備える。蓄積部３４は、透かしデータテーブル６、リンクテーブル７、クーポン情報テーブル１１０、クーポンコードテーブル１４０を含む（各テーブルの詳細は後述）。端末３は、例えば、モバイル端末（携帯端末）、スマートフォン、パソコン、タブレット等の各種端末を用いることができる。
【００１６】
図５は、リンクサーバ４の構成図である。
リンクサーバ４は、通信部４１、処理部４２、リンクサーバ蓄積部４３を備える。リンクサーバ蓄積部４３は、リンクテーブル８を含む。リンクテーブル８のフォーマットはリンクテーブル７と同様である。
【００１７】
図９は、店舗販売システム１０の構成図である。
店舗販売システム１０は、処理部１０１、スキャナ部１０２、クーポンテーブル１２０、クーポンログテーブル１３０、表示部１０３を備える。店舗販売システム１０は、例えば、ＰＯＳ、キャッシュレジスター等の各種機器を用いることができる。
【００１８】
図６は、端末３の蓄積部３４内の透かしデータテーブル６についての説明図である。
透かしデータテーブル６は、放送コンテンツの識別情報であるコンテンツＩＤ６１、放送コンテンツの放送時刻６２、放送コンテンツを端末３が受信（検出）した時刻である検出時刻６３を対応して記憶する。
【００１９】
図７は、端末３の蓄積部３４内のリンクテーブル７、及び、リンクサーバ蓄積部４３内のリンクテーブル８の説明図である。
リンクテーブル７、８は、コンテンツＩＤ７１、８１に対してクーポンＵＲＬ７２、８２、クーポンＩＤ７４、８４を記憶する。
【００２０】
図８は、透かし入り放送音声に含まれる透かしデータのペイロード（透かしペイロード）９のフォーマットである。
透かしペイロード９は、放送コンテンツの識別情報（コンテンツＩＤ等のコンテンツ識別情報）９１と、そのコンテンツの放送時刻９２とを含む。コンテンツＩＤ９１及び放送時刻９２は、透かしデータテーブル６のコンテンツＩＤ６１及び放送時刻６２にそれぞれ対応する。
【００２１】
図１０は、端末３の蓄積部３４内にあるクーポン情報テーブル１１０である。
クーポン情報テーブル１１０は、クーポンＵＲＬ１１１、クーポンＩＤ１１２、クーポン情報（内容）１１３を対応して記憶する。クーポン情報（内容）１１３は、例えば、「商品１の１０％引き」、「商品Ａの無償提供」等の特典内容を含む。クーポン情報テーブル１１０には、複数のエントリを含んでもよい。
【００２２】
図１１は、端末３の蓄積部３４内にあるクーポンコードテーブル１４０である。
クーポンコードテーブル１４０は、クーポン番号（Ｎｏ．）１４１、二次元コード１４２、クーポン情報（内容）１４３を対応して記憶する。クーポンコードテーブル１４０には、複数のエントリを含むことができる。
【００２３】
図１２は、店舗販売システム１０内にあるクーポンテーブル１２０である。
クーポンテーブル１２０は、商品コード１２１、コンテンツＩＤ１２２、クーポンＩＤ１２３を対応して記憶する。
【００２４】
図１３は、店舗販売システム１０内にあるクーポンログテーブル１３０である。
クーポンログテーブル１３０は、スキャン時刻（商品購買時刻）１３１、ユーザＩＤ１３２、商品コード１３３、検出時刻１３４、コンテンツＩＤ１３５、クーポンＵＲＬ１３６、クーポンＩＤ１３７を対応して記憶する。なお、クーポンログテーブル１３０は、さらに、正価・割引率等の特典処理情報、及び／又は、蓄積する購買実績情報としてポイント等、を含むようにしてもよい。
【００２５】
２．動作
図１４は、リンクテーブル取得シーケンスである。
まず、リンクサーバ４の、リンクテーブル８に、コンテンツＩＤ８１に対してクーポンＵＲＬ８２、クーポンＩＤ８４を予め設定する（Ｓ１０１）。リンクテーブル８は、保守者等により設定してもよいし、デフォルト等により予め設定されていてもよい。
ユーザによる操作により、又は、予め定められたタイミング・期間等で自動により、端末３において、アプリケーションが起動されると（Ｓ１０２）、処理部３１は、リンクサーバ４に対しリンクテーブル８の情報取得要求を送信する（Ｓ１０３）。リンクサーバ４は、端末３からリンクテーブル８の情報取得要求を受信すると（Ｓ１０４）、処理部４２は、リンクサーバ蓄積部４３にあるリンクテーブル８の情報を含む応答を作成し、それを端末３に対し送信する（Ｓ１０５）。端末３は、リンクサーバ４からリンクテーブル８の情報を含む応答を受信すると、処理部３１は、その情報を蓄積部３４内のリンクテーブル７に保存する（Ｓ１０７）。なお、リンクサーバ４は、端末３からの要求無しで、予め定められたタイミング又は期間又は時刻等で自動にリンクテーブル８の情報を端末３に送信してもよい。
【００２６】
図１５は、情報提供処理についてのフローチャートである。
端末３において、処理が開始されると、処理部３１は、音声ＩＦ部３３により、受像機／録画再生機２から透かし入り放送音声を受信する（Ｓ３０１）。処理部３１は、受信した放送音声から透かしデータを検出し、透かしペイロード９に含まれるコンテンツＩＤ９１及び放送時刻９２を、蓄積部３４内の透かしデータテーブル６のコンテンツＩＤ６１及び放送時刻６２にそれぞれに記憶する。また、処理部３１は、透かし入り放送音声の検出時刻（又は、収音時刻）を内部時計３２により求め、その求めた時刻を透かしデータテーブル６の検出時刻６３に記憶する（Ｓ３０３）。処理部３１は、ステップＳ３０１及びＳ３０３の処理を、一定時間毎又は予め定められた所定タイミング・期間・時刻や透かしペイロード９を検出したとき等、適宜のタイミングで繰り返し実行することができる。
処理部３１は、リンクテーブル７を参照し、ステップＳ３０３で検出したコンテンツＩＤに対応するクーポンＵＲＬ及び／又はクーポンＩＤを取得し、クーポンＵＲＬ及び／又はクーポンＩＤに基づきクーポン情報を求める（Ｓ３０５）。クーポン情報の求め方は、次のいずれかの処理により実行することができる。
（ｉ）処理部３１は、後述のクーポン情報取得シーケンス（図１８及びその説明箇所参照）により、又は、マニュアル等によりクーポン情報テーブル１１０を予め記憶しておく。このとき、端末３は、ひとつ又は複数のクーポン情報を、予め端末３内のクーポン情報テーブル１１０に保存していてもよい。処理部３１は、予め設定されたクーポン情報テーブル１１０を参照し、クーポンＵＲＬ１１１及び／又はクーポンＩＤ１１２に基づきクーポン情報（内容）１１３を求める。
（ｉｉ）処理部３１は、後述のクーポン情報取得シーケンス（図１８及びその説明箇所参照）により、ステップＳ３０５等のタイミングでＷｅｂサーバ５にアクセスしてクーポン情報を取得し、クーポン情報（内容）１１３を求める。
つぎに、処理部３１は、透かしデータテーブル６を参照し、そこに記憶されている情報から二次元コードを生成する（Ｓ３０７）。二次元コードに含める情報は、例えば、コンテンツＩＤ、検出時刻、ユーザＩＤとすることができる。さらに、放送時刻、クーポンＵＲＬ及び／又はクーポンＩＤを含めてもよい。ユーザＩＤは、端末３内に登録情報として、予め又は適宜のタイミングで入力又は保存することができる。処理部３１は、生成した二次元コードと、クーポン情報テーブル１１０を参照することにより取得したクーポン情報を、クーポンコードテーブル１４０に記憶する（Ｓ３０９）。なお、処理部３１は、クーポン番号を順次適宜定めることができる。処理部３１は、店舗販売システム１０で商品購買の際、クーポンコードテーブル１４０から適当なクーポンを選択して表示部３６に表示することができる（Ｓ３０９）。
図１７は、クーポン表示画面についての説明図である。図示のように、処理部３１は、ステップＳ３０９又はその後適当なときに、該当する二次元コードとクーポン情報（内容）を、表示部３６により表示することができる。なお、表示レイアウトは、適宜のものとすることができる。
【００２７】
図１８は、クーポン情報取得シーケンスである。
ユーザによる操作により、又は、予め定められたタイミング・期間等で自動により、端末３において、アプリケーションが起動されると（Ｓ２０１）、処理部３１は、Ｗｅｂサーバ５に対しクーポン情報の取得要求を送信する（Ｓ２０３）。Ｗｅｂサーバ５は、端末３からクーポン情報の取得要求を受信すると（Ｓ２０５）、クーポン情報を含む応答を作成し、それを端末３に対し送信する（Ｓ２０７）。クーポン情報に含まれるデータは、例えば、クーポンＵＲＬ、クーポンＩＤ、クーポン情報（内容）等である。端末３は、Ｗｅｂサーバ５からクーポン情報を含む応答を受信すると、処理部３１は、そのクーポン情報を蓄積部３４内のクーポン情報テーブル１１０に保存する（Ｓ２０９）。
【００２８】
図１９は、レジ端末処理フローチャートである。
店舗販売システム１０は、通常の商品購買処理を実行する。すなわち、処理部１０１は、購入する商品に付されたコード等から、商品コードをスキャナ部１０２により読み取り、レジでの購買・会計等の処理を行う。
商品購入者は、端末３を用いてクーポンを用いた特典を要求する。このとき処理部３１は、クーポンコードテーブル１４０を参照して、商品購買処理の前若しくは後若しくは途中の適宜のタイミング又はユーザの指示により、クーポン情報（内容）を表すリストを表示部３６表示し、ユーザが選択したクーポンについて、二次元コード及びクーポン情報（内容）を表示部３６に表示する（Ｓ５０１）。
店舗販売システム１０の処理部１０１は、スキャナ部１０２により端末３に表示される二次元コードを読み取る（Ｓ４０１）。処理部１０１は、スキャナ部１０２が読み取った二次元コードからコンテンツＩＤを検出する（Ｓ４０３）。
商品購買処理の後等に、処理部１０１は、クーポンテーブル１２０を参照し、検出したコンテンツＩＤが、購入した商品の商品コード１２１に対応して記憶されているコンテンツＩＤ１２２と一致するかを判定する（Ｓ４０５）。処理部１０１は、検出したコンテンツＩＤがコンテンツＩＤ１２２と一致すると判定した場合、クーポン適用の旨を表示部１０３に表示する（Ｓ４０８）。レジ端末の操作者は、これを見て、端末３の表示部３６に表示されたクーポン情報（内容）の特典をマニュアルで適宜入力する等により、特典を提供することができる（Ｓ４０９）。ここでは、例えば、ＣＭ等のコンテンツ（メディア）に接触した場合等と想定することができる。一方、処理部１０１は、検出したコンテンツＩＤがコンテンツＩＤ１２２と一致しないと判定した場合、クーポン適用しない旨を表示部１０３に表示する（Ｓ４０６）。レジ端末の操作者は、これを見て、特典の提供を実施しない（Ｓ４０７）。ここでは、例えば、放送音声の受信をしていない、ＣＭ等のコンテンツ（メディア）に接触していない等と想定することができる。
ステップＳ４０９の後、処理部１０１は、スキャン時刻、ユーザＩＤ、商品コード、放送音声の検出時刻、コンテンツＩＤ、クーポンＵＲＬ、クーポンＩＤを含む情報を購買実績情報としてクーポンログテーブル１３０に蓄積する（Ｓ４１１）。なお、ここで、クーポンログテーブル１３０に、さらに、正価・割引率等の特典処理情報、及び／又は、蓄積する購買実績情報としてポイント等、を、マニュアル又は自動で入力するようにしてもよい。これにより、処理部１０１は、ユーザＩＤと紐付いたデータの蓄積を行うことができる。
処理部１０１は、クーポンログテーブル１３０からログを読み出し、ログ収集サーバ１０５に送信し記憶部１０６に記憶させたり、表示部１０３に表示させることや、適宜のインタフェース（出力部）に出力させることができる。
【００２９】
３．変形例
なお、処理部３１は、各種情報から二次元コードを生成する代わりに、例えば、文字情報、スキャナで読み取られる他のコード、又は、無線若しくは有線で読み取られるコードを生成し、スキャナ部１０２が読み取ってもよい。
また、ステップ３０７において二次元コードを生成する際、コンテンツＩＤ７１の代わりにクーポンＩＤ７４を用いてもよい。この場合、ステップＳ４０５では、処理部１０１は、クーポンテーブル１２０を参照し商品コードに対応して記憶されているクーポンＩＤと一致するか判定することができる。
また、処理部１０１は、予め設定されたタイミング又は期間又は時刻で、予め定められたログ収集サーバにクーポンログテーブル１３０内に蓄積されたログを送信し、ログ収集サーバの記憶部にログを記憶させ、表示部に表示させる又は出力部に出力させるようにしてもよい。
また、処理部３１は、コンテンツＩＤ及び／又はクーポンＵＲＬ及び／又はクーポンＩＤを、表示部３６に表示させる又は適宜の出力部に出力させるようにしてもよい。
なお、放送時刻、検出時刻、スキャン時刻等の時刻は、日時としてもよい。
また、以上の本実施の形態では、特に、「クーポン」を例に説明したが、これに限らず、本発明又は本実施の形態は、各種の「特典」に適用することができる。その場合、「クーポンＵＲＬ」及び／又は「クーポンＩＤ」を「特典識別情報」とすればよい。また、「クーポン情報テーブル」を「特典情報テーブル」とすればよい。
【００３０】
Ｂ．第２の実施の形態
図２０は、透かしデータテーブルについての説明図である。
透かしデータテーブル６’は、図６に示した透かしデータテーブル６の放送時刻の代わりに、透かしデータを埋め込んだ又は予め設定された規則・手順等で埋め込まれた埋込時刻を用いるものである。
このように、第１の実施の形態において、放送時刻９２の代わりに、透かしデータを埋め込んだ時刻（埋込時刻）６２’を用いてもよい。
【００３１】
図２１は、再生機２ａの構成図である。
また、第１の実施の形態では、例えば、放送局１はあらかじめ透かしデータ入りで作成されたコンテンツを放送する。これに対して、透かしデータ入り放送音声の再生が放送局１と受像機／録画再生機２の組み合わせではなく、図２１のような、再生機２ａに透かしデータ入りコンテンツが搬入され、音声再生部２ａ１により、再生コンテンツの録音信号が再生される形態をとってもよい。このとき、透かしデータテーブルは、図６に示したように放送時刻６２を用いてもよいし、その代わりに、図２０に示したように埋込時刻６２’を用いてもよい。
【００３２】
Ｃ．第３の実施の形態
まず、前提として、クーポン情報テーブル１１０’、クーポンテーブル１２０’について説明する。
図１６は、端末３の蓄積部３４内にあるクーポン情報テーブル１１０’である。
クーポン情報テーブル１１０’は、クーポンＵＲＬ１１１’、クーポンＩＤ１１２’、クーポン情報（内容）１１３’を対応して記憶する。この例では、２つのエントリが記憶され、クーポン情報（内容）１１３’として、クーポンＵＲＬ「ＵＲＬ１」及びクーポンＩＤ「Ｃ−ＩＤ１」に対して「商品１の１０％引き」、クーポンＵＲＬ「ＵＲＬ２」及びクーポンＩＤ「Ｃ−ＩＤ２」に対して「商品１の５％引き」が記憶されている。
図２２は、クーポンテーブル１２０’についての説明図である。
クーポンテーブル１２０’は、商品コード１２１’、コンテンツＩＤ１２２’、クーポンＩＤ１２３’、正価１２４及び割引率１２５’等の特典処理情報、ポイント１２６’を対応して記憶する。
この例のように、クーポンＵＲＬ及びクーポンＩＤに対する、クーポン情報テーブル１１０’による特典（クーポン情報（内容）１１３’）と、クーポンテーブル１２０’における特典（正価１２４及び割引率１２５’等の特典処理情報）は、対応して予め記憶されているとする。
【００３３】
第３の実施の形態における情報提供処理についてのフローチャートは、図１９と同様であるが、特に、図１９のステップＳ４０９の処理が異なる。第３の実施の形態では、図１９のステップＳ４０９において、処理部１０１は、クーポンテーブル１２０’を参照し、商品コード及びコンテンツＩＤ（又はクーポンＵＲＬ／クーポンＩＤ）に対応して予め設定されている正価１２４及び割引率１２５’等の特典処理情報を求め、特典処理情報を適用する（例えば、割引率を正価に対して割り引く）ようにした特典提供処理を実施する。なお、処理部１０１は、例えば、スキャン時刻と検出時刻の差分により、特典提供の割引率を変化させたり割引可否を決定してもよい。例えば、スキャン時刻と検出時刻の差分が２４時間以内なら割引率を２０％とし、２４時間以上なら割引率を１０％とする、又は、割引をしない等適宜定めることができる。また、処理部１０１は、商品割引の代わりに、又は組合わせてポイントを付加する等の特典を付与してもよい。
【００３４】
Ｄ．実施の形態の効果
本実施の形態によると、スマホ等の端末が音声認識を使って、確実に端末のメディア接触の実態を捕捉することができる。また、スマホ等の端末が店舗販売システムと結合するために、端末は各種情報を含む二次元コード等のコードを表示できる。店舗販売システムが、その二次元コード等のコードを読み取り、購入商品と結びつけることにより、メディアの接触→来店→購買を機械的に、確実に、簡便に関連付けることが可能となる。
本実施の形態によると、店舗販売システムが、購買実績情報を蓄積することにより、実績ベースの集計カウントを可能とする。ユーザ情報と連携した購買実績情報を登録することで、メディア接触と、購買実績との実態を厳密に把握することができる。
また、本実施の形態によると、機械的に割引処理を実施することができ、メディア接触者に対して、確実に商品割引に結びつけるしくみを提供することができる。
【産業上の利用可能性】
【００３５】
本発明の情報提供装置及びシステム及び方法及びプログラムは、その各手順をコンピュータに実行させるための情報提供プログラム、情報提供プログラムを記録したコンピュータ読み取り可能な記録媒体、情報提供プログラムを含みコンピュータの内部メモリにロード可能なプログラム製品、そのプログラムを含むサーバ等のコンピュータ等により提供されることができる。
【符号の説明】
【００３６】
１  放送局
２  受像機／録画再生機
３  端末
４  リンクサーバ
５  サーバ
６  透かしデータテーブル
７  リンクテーブル
８  リンクテーブル
９  透かしペイロード
２ａ  再生機
２ａ１  音声再生部
６’  透かしデータテーブル
７’、８’  リンクテーブル
１０  店舗販売システム
１１  透かし重畳部
２１  音声再生部
３１  処理部（ＣＰＵ）
３２  内部時計
３３  音声ＩＦ部
３４  蓄積部
３５  通信部
３６  表示部
３７  入力部
４１  通信部
４２  処理部
４３  リンクサーバ蓄積部
６１  コンテンツＩＤ
６２  放送時刻
６３  検出時刻
７１  コンテンツＩＤ
７２  参照データ
９１  コンテンツＩＤ
９２  放送時刻
１０１  処理部
１０２  スキャナ部
１０３  表示部
１０５  ログ収集サーバ
１０６  記憶部
１１０  クーポン情報テーブル
１２０  クーポンテーブル
１３０  クーポンログテーブル
【図１】
2014194600.tif 000003
【図２】
2014194600.tif 000004
【図３】
2014194600.tif 000005
【図４】
2014194600.tif 000006
【図５】
2014194600.tif 000007
【図６】
2014194600.tif 000008
【図７】
2014194600.tif 000009
【図８】
2014194600.tif 000010
【図９】
2014194600.tif 000011
【図９ａ】
2014194600.tif 000012
【図１０】
2014194600.tif 000013
【図１１】
2014194600.tif 000014
【図１２】
2014194600.tif 000015
【図１３】
2014194600.tif 000016
【図１４】
2014194600.tif 000017
【図１５】
2014194600.tif 000018
【図１６】
2014194600.tif 000019
【図１７】
2014194600.tif 000020
【図１８】
2014194600.tif 000021
【図１９】
2014194600.tif 000022
【図２０】
2014194600.tif 000023
【図２１】
2014194600.tif 000024
【図２２】
2014194600.tif 000025